(57)【要約】【課題】本発明は、赤外線近接センサを用いてスチール画像を撮像し、少ない消費電力で長時間調整できることを目的とする。【解決手段】本発明による赤外線センサー付スチールカメラは、カメラ本体（１）に設けられた赤外線近接センサ（４）を備え、この赤外線近接センサ（４）からの検出信号（４ａ）に基づいてシャッタを作動させてフィルム（４１）に撮像する構成である。【選択図】　　　　図１
2004138774.tif 000002
【特許請求の範囲】
【請求項１】
レンズ（２）を経た像をフィルム（４１）で撮像するようにしたカメラ本体（１）を有するスチールカメラにおいて、
前記カメラ本体（１）に設けられた赤外線近接センサ（４）を備え、前記赤外線近接センサ（４）からの検出信号（４ａ）に基づいて前記カメラ本体（１）内のシャッタ（１ａ）を作動させるように構成したことを特徴とする赤外線センサー付スチールカメラ。
【請求項２】
前記カメラ本体（１）には、前記赤外線近接センサ（４）の感度を調整するための感度調整部（９）及びビーム幅を調整するための赤外線センサビーム幅調整部（１０）並びに赤外線近接センサ（４）からの検出信号（４ａ）の出力時間間隔を調整するための赤外線センサ検出時間間隔調整部（１１）とが設けられていることを特徴とする請求項１記載の赤外線センサー付スチールカメラ。
【請求項３】
前記カメラ本体（１）に設けられ光を発する発光部（３）には、赤外線フィルタ（５）が着脱自在に設けられることを特徴とする請求項１又は２記載の赤外線センサー付スチールカメラ。
【請求項４】
前記フィルム（４１）は、赤外線フィルムよりなることを特徴とする請求項１ないし３の何れかに記載の赤外線センサー付スチールカメラ。
【請求項５】
前記カメラ本体（１）の外面には、防水ケース（２０）が設けられ、前記防水ケース（２０）には、前記カメラ本体（１）のレンズ（２）に対応した透明窓（２１）と、前記手動シャッタ（６）に対応した手動シャッタ用押ボタン（２２）とを有することを特徴とする請求項１ないし４の何れかに記載の赤外線センサー付スチールカメラ。
【請求項６】
前記防水ケース（２０）に設けられ外部に露出する押ボタン（３０）は、前記電源スイッチ（７）に対応していることを特徴とする請求項１ないし５の何れかに記載の赤外線センサー付スチールカメラ。
【請求項７】
前記カメラ本体（１）には、前記検出信号（４ａ）を外部に供給するための外部出力ジャック（１ｂ）が設けられていることを特徴とする請求項１ないし６の何れかに記載の赤外線センサー付スチールカメラ。
【請求項８】
前記フィルム（４１）には、撮影時の日時が記録されることを特徴とする請求項１ないし７の何れかに記載の赤外線センサー付スチールカメラ。
【発明の詳細な説明】
【０００１】
【発明の属する技術分野】
本発明は、赤外線センサー付スチールカメラに関し、特に、赤外線センサーによってカメラに接近する動体をキャッチし、昼夜間の動物の生態観察、ゴミ等の不法投棄の監視、不法侵入者の監視等を行うことができるようにするための新規な改良に関する。
【０００２】
【従来の技術】
従来、用いられていたこの種の監視カメラは、例えば、図示していないが、ビデオカメラが採用されていた（例えば、特許文献１参照）。
すなわち、監視等の現場にビデオカメラを設置し、人等の動体の動作を監視するために、センサーで検知し、動きが発生した時に、ビデオテープに撮像していた。
【０００３】
【特許文献１】
特開平１１−４１５０６号公報
【０００４】
【発明が解決しようとする課題】
従来のビデオカメラは、以上のように構成されているため、次のような課題が存在していた。
すなわち、ビデオカメラで撮像した画像をＶＴＲで録画するか、又は、画像を監視位置に伝送して録画する必要があり、装置が大形化すると共に、コストアップとなっていた。
また、長時間使用するために、大型バッテリー又はソーラー電源等を必要としていた。
【０００５】
本発明は、以上のような課題を解決するためになされたもので、特に、赤外線センサーによってカメラに接近する動体をキャッチし、昼夜間の動物の生態観察、ゴミ等の不法投棄の監視、不法侵入者の監視等を行うことができるようにした赤外線センサー付スチールカメラを提供することを目的とする。
【０００６】
【課題を解決するための手段】
本発明による赤外線センサー付スチールカメラは、レンズを経た像をフィルムで撮像するようにしたカメラ本体を有するスチールカメラにおいて、前記カメラ本体に設けられた赤外線近接センサを備え、前記赤外線近接センサからの検出信号に基づいて前記カメラ本体内のシャッタを作動させるようにした構成であり、また、前記カメラ本体には、前記赤外線近接センサの感度を調整するための感度調整部及びビーム幅を調整するための赤外線センサビーム幅調整部並びに赤外線近接センサからの検出信号の出力時間間隔を調整するための赤外線センサ検出時間間隔調整部とが設けられている構成であり、また、前記カメラ本体に設けられ光を発する発光部には、赤外線フィルタが着脱自在に設けられる構成であり、また、前記フィルムは、赤外線フィルムよりなる構成であり、また、前記カメラ本体の外面には、防水ケースが設けられ、前記防水ケースには、前記カメラ本体のレンズに対応した透明窓と、前記手動シャッタに対応した手動シャッタ用押ボタンとを有する構成であり、また、前記防水ケースに設けられ外部に露出する押ボタンは、前記電源スイッチに対応している構成であり、また、前記カメラ本体には、前記検出信号を外部に供給するための外部出力ジャックが設けられている構成であり、また、前記フィルムには、撮影時の日時が記録される構成である。
【０００７】
【発明の実施の形態】
以下、図面と共に本発明による赤外線センサー付スチールカメラの好適な実施の形態について説明する。
図１から図４において符号１で示されるものは、カメラ本体であり、このカメラ本体１内の機構は周知であるため図示を省略しているが、シャッタ１ａの作動は、周知のように１個のオン信号の入力によって作動するように構成されている。
前記カメラ本体１の前側には、図１のように、レンズ２、フラッシュとしての発光部３、赤外線近接センサ４、この発光部３に着脱自在に設けられた赤外線フィルタ５及びシャッタ１ａを作動させるためのスイッチオンを行うための手動シャッタ６が設けられている。尚、この手動シャッタ６はカメラ本体１内のシャッタ１ａを作動させるための信号を発生させるスイッチ（図示せず）を操作させるもので、このスイッチオンによってシャッタは作動し、撮像できる構成である。
【０００８】
前記カメラ本体１の裏側には、図２のように、電源スイッチ７、ファインダ８、前記赤外線近接センサ４の感度を調整するための感度調整部９、この赤外線のビーム幅を調整するための赤外線センサビーム幅調整部１０、及び、前記赤外線近接センサ４の検出時間間隔を調整し前記シャッタの待機すなわち動作時間の間隔を調整する赤外線センサ検出時間間隔調整部１１が設けられている。
【０００９】
前記カメラ本体１の外面には、このカメラ本体１と相似形でやや大形に形成された樹脂成形による防水ケース２０が設けられている。
この防水ケース２０は２体で形成され、前側には前記レンズ２に対応して突出状の透明窓２１が形成され、この透明窓２１以外は黒色に形成されている。
【００１０】
前記防水ケース２０の前側上部には、前記手動シャッタ６を外から押すための手動シャッタ用押ボタン２２が作動自在に設けられ、防水ケース２０の外側から前記手動シャッタ６を押下げて前記スイッチをオンさせてシャッタ１ａの動作を行うことができるように構成されている。
【００１１】
前記防水ケース２０の裏側には、図４で示されるように、前記電源スイッチ７に対応する状態で押ボタン３０が設けられており、この防水ケース２０をカメラ本体１の外面に装着した状態で、押ボタン３０を介して電源スイッチ７のオン／オフ操作を行うことができるように構成されている。
【００１２】
前記カメラ本体１内に移動自在に設けられたフィルム４１（又は赤外線フィルムの場合もある）は、モータ駆動回路４２によって駆動されるモータ４０により、前記シャッタ１ａの動作と連動して間欠送りされる。
前記シャッタ１ａは、前記赤外線近接センサ４から出力される１個のオン信号である検出信号４ａによって電動式に駆動されるように周知の手段により構成されている。
【００１３】
前記電源スイッチ７の動作によって、図５の各部には電源７ａが供給される。また、前記赤外線近接センサ４に接続された感度調整部９によってその感度調整が行われ、赤外線センサビーム幅調整部１０の調整によりその赤外線のビーム幅を自在に調整し、前記赤外線センサ検出時間間隔調整部１１によって検出信号４ａの出力間隔を調整し、赤外線近接センサ４が検出する動体（例えば、動物、不審人物等）の検出間隔を自在に調整することができる。
【００１４】
従って、前述のカメラ本体１内に赤外線フィルム４１を装填し、防水ケース２０をカメラ本体１に装着した後に、押ボタン３０を押して電源スイッチ７をオンとし、所定の監視位置に設定する。
前述の状態で、動物、ゴミの不法投棄者、不法侵入者等がカメラの前で存在する状態下で、前記赤外線センサ検出時間間隔調整部１１で設定した間隔で赤外線近接センサ４が作動して検出信号４ａが出力されると、前記検出信号４ａによってシャッタ１ａが作動することにより、赤外線フィルム４１に撮像される。また、防水ケース２０を用いない場合もある。
従って、前記赤外線センサ検出時間間隔調整部１１の設定により、シャッタの待機時間の調整ができ、短時間に多くの撮像、長時間間隔でフィルム４１の消耗を少なくすることも自在に設定できる。
【００１５】
尚、フィルム４１としては、夜間でなければ普通のフィルムでよく、夜間用いるフラッシュの発光部３は、赤外線フィルタ５を取付けた場合には、発光部３からの発光は赤外線のみとなり、動物や不審者に光を気付かれることなく撮像することができる。また、撮影時には、その時の日付及び時間を表わすための日時が、周知の記録手段によって記録されるように構成されている。
【００１６】
【発明の効果】
本発明による赤外線センサー付スチールカメラは、以上のように構成されているため、次のような効果を得ることができる。
すなわち、赤外線近接センサによって検出し、検出信号が出力された時のみ１コマずつフィルムに撮像する構成であるため、監視位置に長時間設置した場合でも、消費電力が少なく、極めて長時間にわたって監視動作を続けることができる。
また、カメラ本体に防水ケースが設けられ、防水ケースの上から電源スイッチをオン／オフすることができ、全天候型の監視を行うことができる。
また、シャッタが赤外線近接センサからの検出信号によって作動されるため、全自動の監視が可能で、動物の生態観察、ゴミの不法投棄の監視、不法侵入者の監視等を自在に行うことができる。
【図面の簡単な説明】
【図１】本発明による赤外線センサー付スチールカメラを示す斜視図である。
【図２】図１の裏面図である。
【図３】図１のカメラ本体に防水ケースを装着した状態を示す斜視図である。
【図４】図３の要部を示す断面図である。
【図５】図１のカメラ本体の電気系を示すブロック図である。
【符号の説明】
１　　カメラ本体
２　　レンズ
３　　発光部
４　　赤外線近接センサ
４ａ　　検出信号
５　　赤外線フィルタ
６　　手動シャッタ
７　　電源スイッチ
９　　感度調整部
１０　　赤外線センサビーム幅調整部
１１　　赤外線センサ検出時間間隔調整部
２０　　防水ケース
２１　　透明窓
２２　　手動シャッタ用押ボタン
４１　　フィルム（赤外線フィルム）
【図１】
2004138774.tif 000003
【図２】
2004138774.tif 000004
【図３】
2004138774.tif 000005
【図４】
2004138774.tif 000006
【図５】
2004138774.tif 000007